(57)【要約】【課題】スパイラルハンガー内における走行時の安定性を確保し、メッセンジャーワイヤー上の分岐具や防護管等の障害物の有無ならびに通信ケーブルが存在する場合・存在しない場合のいずれにおいても、スパイラルハンガー内からの脱落を確実に防止した、スパイラルハンガー内への通信ケーブルの延線用先導具と、この延線用先導具を用いたスパイラルハンガー内への通信ケーブルの延線方法を提供する。【解決手段】本発明は、通信ケーブルをスパイラルハンガーに沿って移動させるための通信ケーブル牽引用のリードワイヤーを、スパイラルハンガーに挿通させて電柱間に張架するために用いる、スパイラルハンガー内への通信ケーブルの延線用先導具であって、この延線用先導具は、後端部にリードワイヤーの接続部を備えている長尺の棒状部材により形成され、棒状部材の上面には、メッセンジャーワイヤーを左右から挟み込む二股状のメッセンジャーガイド部を複数設けている。【選択図】図１
2010233434.tif 000002
【特許請求の範囲】
【請求項１】
通信ケーブルをスパイラルハンガーに沿って移動させるための通信ケーブル牽引用のリードワイヤーを、スパイラルハンガーに挿通させて電柱間に張架するために用いる、スパイラルハンガー内への通信ケーブルの延線用先導具であって、
この延線用先導具は、後端部にリードワイヤーの接続部を備えている長尺の棒状部材により形成され、棒状部材の上面には、メッセンジャーワイヤーを左右から挟み込む二股状のメッセンジャーガイド部を複数設けていることを特徴とするスパイラルハンガー内への通信ケーブルの延線用先導具。
【請求項２】
個々のメッセンジャーガイド部は、延線用先導具の進行方向における前後に撓曲可能に形成されている請求項１に記載のスパイラルハンガー内への通信ケーブルの延線用先導具。
【請求項３】
延線用先導具の先端部に、膨出形状のカウリング部を備えている請求項１また２に記載のスパイラルハンガー内への通信ケーブルの延線用先導具。
【請求項４】
延線用先導具の後端部に備えているリードワイヤー接続部は、棒状部材の長手方向に沿った横向きの位置から上方を向くように、取り付け角度を変更できる構造としている請求項１乃至３のいずれかに記載のスパイラルハンガー内への通信ケーブルの延線用先導具。
【請求項５】
通信ケーブルの延線用先導具を用いたスパイラルハンガー内への通信ケーブルの延線方法であって、
電柱間に架設したメッセンジャーワイヤーにスパイラルハンガーを吊設する工程と、
延線用先導具の後端部に備えているリードワイヤー接続部に、リードワイヤーを接続する工程と、
延線用先導具の上面に設けている複数のメッセンジャーガイドにより、メッセンジャーワイヤーを左右から挟み込ませる工程と、
メッセンジャーワイヤーにより支持されている延線用先導具を、リードワイヤーの押し（送り）出し力によりスパイラルハンガー内を走行させ、このリードワイヤーを介して、通信ケーブルをスパイラルハンガーに挿通させて電柱間に張架する工程と、
から成ることを特徴とする、通信ケーブルの延線用先導具を用いたスパイラルハンガー内への通信ケーブルの延線方法。
【発明の詳細な説明】
【技術分野】
【０００１】
本発明は、電柱間に架設したメッセンジャーワイヤーと称する吊線等に吊設しているスパイラルハンガー（螺旋状ケーブル支持具）を介して、電柱間に通信ケーブルを架設する際に、通信ケーブルをスパイラルハンガーに沿って移動させるケーブル牽引用のリードワイヤーを、スパイラルハンガーに挿通させて電柱間に張架するために用いる、スパイラルハンガー内への通信ケーブルの延線用先導具と、この延線用先導具を用いたスパイラルハンガー内への通信ケーブルの延線方法に関するものである。
【背景技術】
【０００２】
従来において、この種の通信ケーブルの延線用先導具として、種々の構造のものが提案されている。
【０００３】
例えば、特許文献１に開示されているような、ケーブル牽引ロープ挿通用の延線用先導具が存在する。
【０００４】
この延線用先導具は、図８に示すように、所定の長さの主体杆１０１に沿うようにして主体杆１０１の周囲に配置した適宜数の弾性杆１０７により、全体として長尺な略楕円形状に形成されている。
【０００５】
具体的には、主体杆１０１の先端に設けた拡開強制部材１０４に螺子杆を突設し、この螺子杆を、主体部と支承部から成る支承片１０５の主体部を通じて、先細状の先導材１０９に設けた螺子穴に螺合して、支承片１０５を介して先導材１０９を拡開強制部材１０４に接続して構成されている。
【０００６】
そして、支承片１０５の支承部には、拡開強制部材１０４の周面に接して互いに離開する、適宜数の弾性杆１０７の先端部を、主体杆１０１の軸線に沿う方向に回動可能に止着している。また、主体杆１０１の基端部には、後側接続杆１０３が設けられている。
【０００７】
この後側接続杆１０３は、金属製の棒杆体であり、この後側接続杆１０３に弾性杆１０７の基端部を宛がっている状態を、集束リング１１０により維持している。
【０００８】
また、後側接続杆１０３は、規制リング１１１を有する重り杆１１２を接続している。この重り杆１１２は、基端部にリードワイヤーＷを接続する接続ジャック１１４を備えている。
【０００９】
この延線用先導具の使用に際しては、図９・図１０に示すように、メッセンジャーワイヤーＭを介して電柱Ｄ，Ｄ間に架設しているスパイラルハンガーＳの内側に延線用先導具を配置する。
【００１０】
そして、延線用先導具の基端部に位置している後側接続杆１０３の接続ジャック１１４にリードワイヤーＷを接続して、リードワイヤーＷを押し（送り）出す。
【００１１】
このリードワイヤーＷの押し（送り）出し力により、延線用先導具は、メッセンジャーワイヤーＭに沿ってスパイラルハンガーＳの内側において一方の電柱Ｄ側から他方の電柱Ｄ側へ移動し、リードワイヤーＷが電柱Ｄ，Ｄ間に張架される。
【００１２】
その後、延線用先導具の接続ジャック１１４からリードワイヤーＷを外して、
延線用先導具をスパイラルハンガーＳから取り外す。次に、リードワイヤーＷの先端部に牽引ロープを接続して、リードワイヤーＷを元の位置側に引き戻すと、牽引ロープが電柱Ｄ，Ｄ間に架設されることになる。
【００１３】
そして、牽引ロープの端部に通信ケーブルの先端部を接続してから、牽引ロープを牽引することにより、牽引ロープの端部に接続している通信ケーブルが一方の電柱Ｄ側から他方の電柱Ｄ側へと移動して、電柱Ｄ，Ｄ間に通信ケーブルが吊架される。
【００１４】
また、リードワイヤーＷの基端部に牽引ロープを接続しておけば、リードワイヤーＷを電柱Ｄ，Ｄ間に張架した後、他方の電柱Ｄ側からリードワイヤーＷを牽引することにより、牽引ロープが電柱Ｄ，Ｄ間に架設されることになる。
【００１５】
この状態で、牽引ロープの端部に通信ケーブルの先端部を接続してから、牽引ロープを牽引することにより、牽引ロープの端部に接続している通信ケーブルが一方の電柱Ｄ側から他方の電柱Ｄ側へと移動して、電柱Ｄ，Ｄ間に通信ケーブルが吊架される。
【００１６】
延線用先導具は、以上のような通信ケーブルの架設作業における、所謂予備作業として、前記の通りに用いるものである。
【００１７】
この他、特許文献２に開示されているような、通信ケーブルの架設において、効率的且つ安全に作業を行えるケーブル架設方法およびケーブル架設装置なる技術も存在する。
【００１８】
この技術は、 誘導具の開口部が上方に向くように把持部に把持させて、操作棒を操作して誘導具を動かし、誘導具を支持線に被せる。そして、誘導具に接続された推進ワイヤまたは通線ロッドを地上から繰り出して、誘導具を前進させる。誘導具は把持部から離脱し、支持線を抱き込んでいる。
【００１９】
次に、誘導具を所定位置まで前進させ、所定位置に達したら、推進ワイヤまたは通線ロッドから誘導具を取り外し、架設対象ケーブルまたは牽引用ロープを推進ワイヤまたは通線ロッドを取り付け、架設対象ケーブルまたは牽引用ロープを引き戻すものである。
【００２０】
さらに、特許文献３に開示されているような、作業効率が向上する架線工具なる技術も存在する。
【００２１】
この架線工具は、吊線に吊り下げられた既設ケーブルに加えて、新設ケーブルを配置する架線工具であって、長手方向を有し、長手方向に垂直な面で切断したときの断面形状が円弧状に形成されたガイド本体を備えている。また、ガイド本体の外側の表面には、延線ロッドをガイド本体に固定するためのインシュロックが配置されている。ガイド本体は、平面視したときに、長手方向の先端部が尖るように形成されている。
【先行技術文献】
【特許文献】
【００２２】
【特許文献１】特開２００３−８７９１８号公報
【特許文献２】特開２００１−１３６６１７号公報
【特許文献３】特開２００６−３４０５１２号公報
【発明の概要】
【発明が解決しようとする課題】
【００２３】
しかしながら、従来において、特許文献１に開示されている、全体として長尺な略楕円形状に形成されている延線用先導具を使用した場合、以下の理由により、図１１（ａ）・（ｂ）に示すように、延線用先導具がスパイラルハンガーＳから脱落してしまう事態が生じている。
【００２４】
例えば、スパイラルハンガーＳ内に位置している既設の通信ケーブルＫに撚れや蛇行がある場合、延線用先導具における弾性杆１０７の張り出し部分が、通信ケーブルＫの撚れや蛇行に沿って誘導されるように移動してしまうこととなる。
【００２５】
その為、延線用先導具の進路が、通信ケーブルＫの撚れや蛇行により強制的に変更されてしまい、これにより、スパイラルハンガーＳから延線用先導具が脱落してしまうのである。
【００２６】
また、スパイラルハンガーＳを支持するために電柱Ｄ，Ｄ間に架設したメッセンジャーワイヤーＭの弛緩度が高い場合、延線用先導具の走路となるメッセンジャーワイヤーＭが縦方向に撓んで、全体として弓形状となるため、スパイラルハンガーＳにできる隙間から、延線用先導具が脱落してしまう事態が生じている。
【００２７】
さらに、スパイラルハンガーＳが蛇行している場合、延線用先導具の走路となるスパイラルハンガーＳが横方向に蛇行することとなり、スパイラルハンガーＳにできる隙間から、延線用先導具が脱落してしまう事態も生じている。
【００２８】
この他、特許文献２に開示されている技術の場合、既設ケーブルの有無によって誘導具の使い分けが必要であったり、メッセンジャーワイヤーＭに分岐があると誘導具が使用できなかったりする。また、スパイラルハンガーＳのピッチは一様でないので、落下する可能性があったりする。このため、手戻りが生じる可能性が高く、作業効率が低下してしまう問題点があった。
【００２９】
しかも、誘導具に接続された推進ワイヤまたは通線ロッドを、通常は地上から繰り出して、誘導具を前進させることから、より安定した走行性の確保が非常に難しくなっている。
【００３０】
さらに、特許文献３に開示されている技術の場合、既設ケーブルの存在が前提となっていることに加え、ガイド本体は、平面視したときに長手方向の先端部が尖るように形成されているから、通信ケーブルの撚れに沿って移動した際に、先端部が通信ケーブルの隙間に刺さってしまうことがある。そして、通信ケーブルの隙間に、ガイド本体の先端部が刺さってしまったときは、ガイド本体を引き戻すという面倒な作業が必要となる。
【００３１】
しかも、一度の引き戻しでは、完全には修復しないので、同じ場所において、数回の引き戻し作業が必要となる。
【００３２】
このように、従来の用具・手法等においては、上記したような種々の理由により、作業時間が必要以上に長くなったり、多くの作業員を要することとなり、通信ケーブルを延線する際の作業効率が悪くなっていた。
【００３３】
加えて、作業員の操作方法が好ましくない場合には、スパイラルハンガーＳからの延線用先導具の脱落により、公衆や請負に災害を与えてしまう可能性もある。
【００３４】
そこで、本発明は如上のような従来存した諸事情に鑑み創出されたもので、スパイラルハンガー内における走行時の安定性を確保し、メッセンジャーワイヤー上の分岐具や防護管等の障害物の有無ならびに通信ケーブルが存在する場合・存在しない場合のいずれにおいても、スパイラルハンガー内からの脱落を確実に防止した、スパイラルハンガー内への通信ケーブルの延線用先導具と、この延線用先導具を用いたスパイラルハンガー内への通信ケーブルの延線方法を提供することを目的とする。
【課題を解決するための手段】
【００３５】
本発明は、通信ケーブルをスパイラルハンガーに沿って移動させるための通信ケーブル牽引用のリードワイヤーを、スパイラルハンガーに挿通させて電柱間に張架するために用いる、スパイラルハンガー内への通信ケーブルの延線用先導具であって、この延線用先導具は、後端部にリードワイヤーの接続部を備えている長尺の棒状部材により形成され、棒状部材の上面には、メッセンジャーワイヤーを左右から挟み込む二股状のメッセンジャーガイド部を複数設けていることで、上述した課題を解決した。
【００３６】
また、個々のメッセンジャーガイド部は、延線用先導具の進行方向における前後に撓曲可能に形成されていることで、同じく上述した課題を解決した。
【００３７】
さらに、延線用先導具の先端部に、膨出形状のカウリング部を備えていることで、同じく上述した課題を解決した。
【００３８】
また、延線用先導具の後端部に備えているリードワイヤー接続部は、棒状部材の長手方向に沿った横向きの位置から上方を向くように、取り付け角度を変更できる構造としていることで、同じく上述した課題を解決した。
【００３９】
この他、本発明は、通信ケーブルの延線用先導具を用いたスパイラルハンガー内への通信ケーブルの延線方法であって、電柱間に架設したメッセンジャーワイヤーにスパイラルハンガーを吊設する工程と、延線用先導具の後端部に備えているリードワイヤー接続部に、リードワイヤーを接続する工程と、延線用先導具の上面に設けている複数のメッセンジャーガイドにより、メッセンジャーワイヤーを左右から挟み込ませる工程と、メッセンジャーワイヤーにより支持されている延線用先導具を、リードワイヤーの押し（送り）出し力によりスパイラルハンガー内を走行させ、このリードワイヤーを介して、通信ケーブルをスパイラルハンガーに挿通させて電柱間に張架する工程と、から成ることで、同じく上述した課題を解決した。
【００４０】
ことを特徴とする、通信ケーブルの延線用先導具を用いたスパイラルハンガー内への通信ケーブルの延線方法。
【発明の効果】
【００４１】
本発明は、通信ケーブルをスパイラルハンガーに沿って移動させるための通信ケーブル牽引用のリードワイヤーを、スパイラルハンガーに挿通させて電柱間に張架するために用いる、スパイラルハンガー内への通信ケーブルの延線用先導具であって、
この延線用先導具は、後端部にリードワイヤーの接続部を備えている長尺の棒状部材により形成され、棒状部材の上面には、メッセンジャーワイヤーを左右から挟み込む二股状のメッセンジャーガイド部を複数設けていることから、スパイラルハンガー内における走行時の安定性を確保し、通信ケーブルが存在する場合・存在しない場合のいずれにおいても、スパイラルハンガー内からの脱落を確実に防止することができる。
【００４２】
具体的には、延線用先導具は、後端部にリードワイヤーの接続部を備えている長尺の棒状部材により形成され、棒状部材の上面には、メッセンジャーワイヤーを左右から挟み込む二股状のメッセンジャーガイド部を複数設けていることから、この複数のメッセンジャーガイド部によりメッセンジャーワイヤーを左右から挟み込んで、延線用先導具を、メッセンジャーワイヤーに沿って走行させることができる。
【００４３】
その為、スパイラルハンガー内に位置している既設の通信ケーブルの撚れや蛇行の有無に拘わらず、延線用先導具の安定した走行が得られる。
【００４４】
その結果、延線用先導具の進路が、通信ケーブルの撚れや蛇行により強制的に変更されてしまうこともなくなり、スパイラルハンガーから延線用先導具が脱落してしまう事態の発生を防止しているのである。
【００４５】
また、延線用先導具の走路となるメッセンジャーワイヤーが、縦方向に撓んで全体として弓形状となっている場合においても、複数のメッセンジャーガイド部によりメッセンジャーワイヤーを左右から挟み込んでいるため、延線用先導具が撓んでいるメッセンジャーワイヤーに沿って走行することとなり、スパイラルハンガーにできる隙間から延線用先導具が脱落することがない。
【００４６】
さらに、複数のメッセンジャーガイド部によりメッセンジャーワイヤーを左右から挟み込んでいるため、スパイラルハンガーが蛇行している場合においても、スパイラルハンガーにできる隙間から延線用先導具が脱落することがない。
【００４７】
そして、個々のメッセンジャーガイド部は、延線用先導具の進行方向における前後に撓曲可能に形成されていることから、メッセンジャーワイヤーに巻回されているスパイラルハンガーに接触すると、メッセンジャーガイド部が進行方向と逆の方向に撓んで、接触しているスパイラルハンガーを擦り抜けていく。
【００４８】
その為、メッセンジャーワイヤーに巻回されているスパイラルハンガー内において、延線用先導具を滑らかに走行させることができると共に、メッセンジャーワイヤー上の分岐具や防護管等の障害物の有無に拘わらず、延線用先導具の安定した走行が可能である。
【００４９】
また、延線用先導具の先端部に、膨出形状のカウリング部を備えていることから、延線用先導具が、既設の通信ケーブルに潜り込んでしまう事態の発生を防止している。
【００５０】
さらに、既設の通信ケーブルに撚れや蛇行がある場合であっても、膨出形状のカウリング部が通信ケーブルの上を滑りながら進行するため、延線用先導具が、通信ケーブルの撚れや蛇行に沿って誘導されることもない。加えて、膨出形状のカウリング部が通信ケーブルの上を滑りながら進行するため、追い張りする通信ケーブルが、既設の通信ケーブルに巻き込まれてしまうこともない。
【００５１】
また、延線用先導具の後端部に備えているリードワイヤー接続部は、棒状部材の長手方向に沿った横向きの位置から上方を向くように、取り付け角度を変更できる構造としていることから、リードワイヤー接続部を上向きにした状態でリードワイヤーを接続したときには、リードワイヤーの押し（送り）出し力により延線用先導具の先端部が持ち上げられ、スパイラルハンガー内において、延線用先導具の先端部側が上方を向いている状態を常に維持することができる。
【００５２】
その為、スパイラルハンガー内に通信ケーブルが存在しない場合であっても、スパイラルハンガーにできる下側の隙間から、延線用先導具が脱落することがない。
【００５３】
延線用先導具は、リードワイヤーの押し（送り）出し力により走行するのであるが、スパイラルハンガー内に通信ケーブルが存在しない場合は、リードワイヤーを押し（送り）出すときに、延線用先導具の頭部の位置が上下左右に振られてしまう。この現象は、リードワイヤーが長くなる程、頻繁に生じ、また、振りの程度も大きくなる。
【００５４】
その為、延線用先導具においては、複数のメッセンジャーガイド部によりメッセンジャーワイヤーを左右から挟み込んで、延線用先導具の頭部がなるべく静止するようにし、しかも、リードワイヤー接続部を上向きにして、延線用先導具の先端部が上方を向いている状態を常に維持することにより、スパイラルハンガーにできる下側の隙間から、延線用先導具が脱落する事態の発生を防止しているのである。
【００５５】
この他、本発明は、通信ケーブルの延線用先導具を用いたスパイラルハンガー内への通信ケーブルの延線方法であって、電柱間に架設したメッセンジャーワイヤーにスパイラルハンガーを吊設する工程と、延線用先導具の後端部に備えているリードワイヤー接続部に、リードワイヤーを接続する工程と、延線用先導具の上面に設けている複数のメッセンジャーガイドにより、メッセンジャーワイヤーを左右から挟み込ませる工程と、メッセンジャーワイヤーにより支持されている延線用先導具を、リードワイヤーの押し（送り）出し力によりスパイラルハンガー内を走行させ、このリードワイヤーを介して、通信ケーブルをスパイラルハンガーに挿通させて電柱間に張架する工程と、から成ることから、スパイラルハンガー内からの延線用先導具の脱落を防止しながら、通信ケーブルの延線作業を円滑に実行することができる。
【００５６】
そのため、全体の作業時間が短くなり、また、作業員も少人数で足りることとなり、通信ケーブルを延線する際の作業効率を飛躍的に向上させることができる。
【００５７】
加えて、スパイラルハンガー内からの延線用先導具の脱落を確実に防止することから、公衆や請負に災害を与えてしまうこともない。
【００５８】
この他にも、延線用先導具を用いて架設した通信ケーブルには、撚れや蛇行がないことから、延線用先導具を用いたケーブル工事の後工程（新設、補修、撤去等）においても、結果的に大幅な作業効率の向上が図られることとなる。
【図面の簡単な説明】
【００５９】
【図１】延線用先導具の構成を示すもので、延線用先導具を上方側から見た状態の斜視図である。
【図２】延線用先導具の構成を示すもので、延線用先導具を下方側から見た状態の斜視図である。
【図３】延線用先導具の構成を示すもので、（ａ）はメッセンジャーガイド部が進行方向における前後に撓曲可能である状態を示す側面図、（ｂ）は延線用先導具の平面図である。
【図４】通信ケーブルが存在しないスパイラルハンガー内において、延線用先導具の先端部が上方を向いている状態を維持しながら、延線用先導具が走行している状態を示す側面図である。
【図５】通信ケーブルが存在しないスパイラルハンガー内において、延線用先導具が走行している状態を示すもので、複数のメッセンジャーガイド部において、１個のメッセンジャーガイド部がスパイラルハンガーに接触して撓曲している状態を示す側面図である。
【図６】通信ケーブルが存在しているパイラルハンガー内において、延線用先導具が通信ケーブルの上を走行している状態を示す側面図である。
【図７】スパイラルハンガー内における延線用先導具の走行状態を示すもので、（ａ）は通信ケーブルが存在しないスパイラルハンガー内における延線用先導具の走行状態の概要を示す正面図、（ｂ）は通信ケーブルが存在しているスパイラルハンガー内における延線用先導具の走行状態の概要を示す正面図、（ｃ）は撚れが生じている通信ケーブルが存在しているスパイラルハンガー内における延線用先導具の走行状態の概要を示す正面図である。
【図８】全体として長尺な略楕円形状に形成されている、従来のケーブル牽引ロープ挿通用の先導具の構成を示す側面図である。
【図９】全体として長尺な略楕円形状に形成されている、従来のケーブル牽引ロープ挿通用の先導具を、通信ケーブルが存在しないスパイラルハンガー内で走行させている状態を示す側面図である。
【図１０】全体として長尺な略楕円形状に形成されている、従来のケーブル牽引ロープ挿通用の先導具について、リードワイヤーの押し（送り）出し力によりスパイラルハンガー内を走行させている状態を示す斜視図である。
【図１１】全体として長尺な略楕円形状に形成されている、従来のケーブル牽引ロープ挿通用の先導具の使用状態を示すもので、（ａ）はスパイラルハンガー内を先導具が走行して、スパイラルハンガーにできた隙間から先導具が脱落しようとしている状態を示す側面図、（ｂ）はスパイラルハンガーにできた隙間から先導具が脱落して、下方に落下している状態を示す側面図である。
【発明を実施するための形態】
【００６０】
以下に、図面を参照して、本発明を実施するための形態を詳細に説明する。
【００６１】
本発明は、通信ケーブルＫをスパイラルハンガーＳに沿って移動させるためのケーブル牽引用のリードワイヤーＷを、スパイラルハンガーＳに挿通させて、電柱Ｄ，Ｄ間に張架するために用いる延線用先導具Ａである。
【００６２】
この延線用先導具Ａは、図１・図２に示すように、全体が長尺の棒状部材により形成されており、先端部に膨出形状のカウリング部２を備えている。また、棒状部材の後端部に、リードワイヤーＷの接続部３を備えている。
【００６３】
この延線用先導具Ａを構成する棒状部材は、スパイラルハンガーＳのスパイラルピッチ間隔に対して、例えば、約３倍程度の長さに形成されている。
【００６４】
また、棒状部材の上面には、図１・図２・図３（ｂ）に示すように、４個のメッセンジャーガイド部１ａ，１ｂ，１ｃ，１ｄを、所定の間隔を開けて設けている。このメッセンジャーガイド部１ａ，１ｂ，１ｃ，１ｄは、メッセンジャーワイヤーＭを左右から挟み込むもので、図１・図２に示すように、二股状の略Ｖ字状に形成されている。
【００６５】
尚、メッセンジャーガイド部１ａ，１ｂ，１ｃ，１ｄの形状は、略Ｖ字状に限定されることはなく、例えば、略U字状である等、メッセンジャーワイヤーＭを左右から挟み込むことのできる形状を全て含むものである。
【００６６】
また、１番目に位置しているメッセンジャーガイド１ａは、メッセンジャーワイヤーＭからの離脱を防止するため、他のメッセンジャーガイド１ｂ，１ｃ，１ｄよりも、二股（Ｖ字）の幅間隔を狭くすると、より好ましいものとなる。
【００６７】
さらに、１番目に位置しているメッセンジャーガイド１ａを、他のメッセンジャーガイド１ｂ，１ｃ，１ｄよりも高く（長く）なるように形成しても良い。また、１番目と４番目に位置しているメッセンジャーガイド１ａ，１ｄを、他のメッセンジャーガイド１ｂ，１ｃよりも高く（長く）なるように形成しても良い。
【００６８】
尚、図に示す延線用先導具Ａは、棒状部材の上面に４個のメッセンジャーガイド部１ａ，１ｂ，１ｃ，１ｄを設けているが、これに限定されることはなく、２個乃至３個、また、５個以上のメッセンジャーガイド部を設けるものであっても良い。
【００６９】
また、個々のメッセンジャーガイド部１ａ，１ｂ，１ｃ，１ｄは、図３（ｂ）に示すように、延線用先導具Ａの進行方向における前後に撓曲可能に形成されている。
【００７０】
このメッセンジャーガイド部１ａ，１ｂ，１ｃ，１ｄは、所定の長さの、柔軟性を有する薄板部材により形成されている。この薄板部材は、例えば、プラスチック部材等を素材とするものである。
【００７１】
尚、メッセンジャーガイド部１ａ，１ｂ，１ｃ，１ｄは、薄板部材に限定されることはなく、例えば、棒状部材を用いて形成しても良い。
【００７２】
また、図に示すメッセンジャーガイド部１ａ，１ｂ，１ｃ，１ｄは、棒状部材の上面に設けている穴（図面には示していない）に、薄板部材の端部を差し込んで固定しているが、固定の手法は、これに限定されることはない。例えば、薄板部材を、ゴム材・バネ材・テーピング材等を介して、棒状部材の上面に固定しても良い。
【００７３】
延線用先導具Ａを構成する棒状部材の先端部に設けている膨出形状のカウリング部２は、通信ケーブルＫが存在しているスパイラルハンガーＳ内を延線用先導具Ａが走行するときに、延線用先導具Ａが既設の通信ケーブルＫに潜り込んでしまう事態の発生を防止するものである。
【００７４】
このカウリング部２は、図１・図２に示すように、例えば、アクリル板を湾曲させて、全体として下面部分を膨出させた形状となっている。そして、例えば、膨出形状の一端部に所定の接続孔を設け、この接続孔を介して、棒状部材の先端部に取り付けるのである。
【００７５】
さらに、延線用先導具Ａの後端部に備えているリードワイヤー接続部３は、棒状部材の長手方向に沿った横向きの位置から上方を向くように、取り付け角度を変更できる構造としている。
【００７６】
この取り付け角度を変更できる構造として、例えば、リードワイヤー接続部３を形成する所定の筒状部材の端部を棒状部材の後端部に軸支して、筒状部材が、棒状部材の長手方向に沿った横向きの位置（棒状部材と水平の位置）から上方を向くことができるようにする。
【００７７】
そして、筒状部材が、棒状部材の長手方向に沿った横向きの位置（棒状部材と水平の位置）と、上方を向いた所定の取り付け角度の位置を維持できる、所定のネジ止め機構等を採用している。
【００７８】
尚、リードワイヤー接続部３における取り付け角度を変更できる構造は、前記したものに限定されることはなく、どのような構造のものであっても良い。
【００７９】
以下に、通信ケーブルＫの延線用先導具Ａを用いた、スパイラルハンガーＳ内への通信ケーブルＫの延線方法を説明する。
【００８０】
（電柱間に架設したメッセンジャーワイヤーにスパイラルハンガーを吊設する工程）
まず、電柱Ｄ，Ｄ間に架設しているメッセンジャーワイヤーＭに、スパイラルハンガーＳを巻回し、メッセンジャーワイヤーＭにスパイラルハンガーＳを吊設する。
【００８１】
（延線用先導具の後端部に備えているリードワイヤー接続部に、リードワイヤーを接続する工程）
次に、延線用先導具Ａの後端部に備えているリードワイヤー接続部３に、リードワイヤーＷを接続する。
【００８２】
このとき、リードワイヤー接続部３は、図１・図２に示すように、延線用先導具Ａを形成する棒状部材に対して、若干上方を向くような取り付け角度を維持している。その為、このリードワイヤー接続部３に接続したリードワイヤーＷの端部近傍部分においても、棒状部材に対して、若干上方を向くような取り付け角度を維持することとなる。
【００８３】
（延線用先導具の上面に設けている複数のメッセンジャーガイドにより、メッセンジャーワイヤーを左右から挟み込ませる工程）
次に、スパイラルハンガーＳ内に、延線用先導具Ａを収容する。
【００８４】
このとき、図４・図７（ａ）（ｂ）（ｃ）に示すように、延線用先導具Ａの上面に設けている個々のメッセンジャーガイド部１ａ，１ｂ，１ｃ，１ｄにより、メッセンジャーワイヤーＭを左右から挟み込んだ状態にする。
【００８５】
（メッセンジャーワイヤーにより支持されている延線用先導具を、リードワイヤーの押し（送り）出し力によりスパイラルハンガー内を走行させ、このリードワイヤーを介して、通信ケーブルをスパイラルハンガーに挿通させて電柱間に張架する工程）
そして、メッセンジャーワイヤーＭにより支持されている延線用先導具Ａを、リードワイヤーＷの押し（送り）出し力によりスパイラルハンガーＳ内を走行させ、このリードワイヤーＷを介して、通信ケーブルＫをスパイラルハンガーＳに挿通させて、通信ケーブルＫを電柱Ｄ，Ｄ間に張架する。
【００８６】
延線用先導具Ａが、スパイラルハンガーＳ内を走行するときは、リードワイヤー接続部３と、このリードワイヤー接続部３に接続したリードワイヤーＷの端部近傍部分が若干上方を向くような取り付け角度を維持しているため、図４に示すように、リードワイヤーＷの押し（送り）出し力により、延線用先導具Ａの基端部分が下方に向けて押し付けられるような作用が生じる。
【００８７】
その結果、図４に示すように、スパイラルハンガーＳ内において、延線用先導具Ａの基端部分を支点として、延線用先導具Ａの先端部側の先端部が持ち上げられ、スパイラルハンガーＳ内において、延線用先導具Ａの先端部側が上方を向いている状態を常に維持することができる。
【００８８】
また、スパイラルハンガーＳ内において、延線用先導具Ａが走行するときは、延線用先導具Ａの上面に設けている個々のメッセンジャーガイド部１ａ，１ｂ，１ｃ，１ｄが、スパイラルハンガーＳに衝突することになる。このとき、例えば、図５に示すように、スパイラルハンガーＳに衝突したメッセンジャーガイド部１ｂが、延線用先導具Ａの進行方向と逆の方向に撓んで、衝突しているスパイラルハンガーＳを擦り抜けていくのである。
【００８９】
また、スパイラルハンガーＳ内において、延線用先導具Ａの先端部側が上方を向いている状態で延線用先導具Ａが走行するときは、図４に示すように、４個のメッセンジャーガイド部１ａ，１ｂ，１ｃ，１ｄの全てが、メッセンジャーワイヤーＭを挟み込んでいる状態となる。
【００９０】
さらに、図７（ａ）に示すように、延線用先導具Ａの両側面の一部がスパイラルハンガーＳの内側面に接触した状態となる。
【００９１】
このようにして、スパイラルハンガーＳ内において、延線用先導具Ａが上下左右に振られてしまう現象をなるべく抑制して、延線用先導具の安定した走行を可能にしている。
【００９２】
この他、既設の通信ケーブルＫが存在するスパイラルハンガーＳ内において、延線用先導具Ａが走行させるときは、図３（ｂ）の実線部分・図６に示すように、リードワイヤー接続部３を、棒状部材の長手方向に沿った横向きの位置（棒状部材と水平の位置）に固定して、このリードワイヤー接続部３にリードワイヤーＷの端部を接続する。
【００９３】
このリードワイヤーＷの接続状態でリードワイヤーＷを押し（送り）出すと、
延線用先導具Ａには、水平方向に移動させられる作用が生じる。そして、延線用先導具Ａは、先端部にカウリング部２を備えていることから、スパイラルハンガーＳ内に既設の通信ケーブルＫが存在するときは、図６に示すように、この通信ケーブルＫの上をカウリング部２が接触して滑りながら進行して行く。
【００９４】
また、図７（ｂ）に示すように、延線用先導具Ａのカウリング部２を除いた棒状部材の下面の一部も、通信ケーブルＫに接触して滑りながら進行して行く。
【００９５】
そして、図７（ｃ）に示すように、既設の通信ケーブルＫに撚れがあり、通信ケーブルＫがスパイラルハンガーＳ内で偏っているときは、延線用先導具Ａが一部の通信ケーブルＫに接触して若干上方に浮いたような状態となる。
【００９６】
このような場合においても、４個のメッセンジャーガイド１ａ，１ｂ，１ｃ，１ｄの全てがメッセンジャーワイヤーＭを挟み込んでいる状態を維持して、延線用先導具Ａの安定した走行を可能にしている。
【００９７】
尚、万が一、メッセンジャーワイヤーＭからメッセンジャーガイドが外れてしまった場合であっても、４個のメッセンジャーガイド１ａ，１ｂ，１ｃ，１ｄにおけるいずれか２個のメッセンジャーガイドがメッセンジャーワイヤーＭを挟み込んでいる状態を維持していれば、延線用先導具Ａの安定した直進性・走行性を保持でき、延線用先導具Ａの性能に何等影響を与えるものではない。
【００９８】
そして、延線用先導具Ａを介して、リードワイヤーＷを電柱Ｄ，Ｄ間に張架したときは、リードワイヤーＷの基端部に通信ケーブルＫの先端部を接続し、リードワイヤーＷを牽引することにより、電柱Ｄ，Ｄ間に通信ケーブルＫが張架されるのである。
【産業上の利用可能性】
【００９９】
本発明は、スパイラルハンガーを介して種々の部材を延線する際に用いる延線用先導具として、幅広く利用することができる。
【符号の説明】
【０１００】
Ａ…延線用先導具
Ｓ…スパイラルハンガー
Ｍ…メッセンジャーワイヤー
Ｗ…リードワイヤー
Ｄ…電柱
１ａ…メッセンジャーガイド部
１ｂ…メッセンジャーガイド部
１ｃ…メッセンジャーガイド部
１ｄ…メッセンジャーガイド部
２…カウリング部
３…接続ジャック
１０１…主体杆
１０３…後側接続杆
１０４…拡開強制部材
１０５…支承片
１０７…弾性杆
１０９…先導材
１１０…集束リング
１１１…規制リング
１１２…重り杆
１１４…接続ジャック
【図１】
2010233434.tif 000003
【図２】
2010233434.tif 000004
【図３】
2010233434.tif 000005
【図４】
2010233434.tif 000006
【図５】
2010233434.tif 000007
【図６】
2010233434.tif 000008
【図７】
2010233434.tif 000009
【図８】
2010233434.tif 000010
【図９】
2010233434.tif 000011
【図１０】
2010233434.tif 000012
【図１１】
2010233434.tif 000013